(57)【特許請求の範囲】
【請求項１】
光信号をパッシブに分岐または結合する下り情報伝送用光スターカプラにより複数の光伝送路がスター状に構成された親局側から子局側への下り情報伝送用の下り用光ネットワークと、
光信号をパッシブに分岐または結合する上り情報伝送用光スターカプラにより複数の光伝送路がスター状に構成された子局側から親局側への上り情報伝送用の上り用光ネットワークと、
前記下り用光ネットワークを構成する前記光伝送路の一つと前記上り用光ネットワークを構成する前記光伝送路の一つが対で接続された複数の子局装置と、
前記下り用光ネットワークを構成する前記光伝送路の一つと前記上り用光ネットワークを構成する前記光伝送路の一つが対で接続された前記複数の子局装置に対して制御権を持つ第１の親局装置と、
前記上り用光ネットワークを構成する前記光伝送路の一つに接続された前記複数の子局装置に対して制御権を持たない第２の親局装置とを備えた光ネットワーク装置。
【請求項２】
光信号をパッシブに分岐または結合する下り情報伝送用光スターカプラにより複数の光伝送路がスター状に構成された親局側から子局側への下り情報伝送用の下り用光ネットワークと、
光信号をパッシブに分岐または結合する上り情報伝送用光スターカプラにより複数の光伝送路がスター状に構成された子局側から親局側への上り情報伝送用の上り用光ネットワークと、
前記下り用光ネットワークを構成する前記光伝送路の一つと前記上り用光ネットワークを構成する前記光伝送路の一つが対で接続された複数の子局装置と、
前記下り用光ネットワークを構成する前記光伝送路の一つと前記上り用光ネットワークを構成する前記光伝送路の一つが対で接続された第１の親局装置と、
前記上り用光ネットワークを構成する前記光伝送路の一つに接続された第２の親局装置と、
前記第２の親局装置と前記下り情報伝送用光スターカプラとの間を接続する下り情報伝送用の下り信号用光伝送路と、
前記第１の親局装置と前記下り情報伝送用光スターカプラとの間の光伝送路および前記各下り信号用光伝送路に挿入され、前記光伝送路、前記各下り信号用光伝送路による光信号の伝送のオン／オフが前記第２の親局装置により制御される制御スイッチとを備えた光ネットワーク装置。
【請求項３】
光信号をパッシブに分岐または結合する下り情報伝送用光スターカプラにより複数の光伝送路がスター状に構成された親局側から子局側への下り情報伝送用の下り用光ネットワークと、
光信号をパッシブに分岐または結合する上り情報伝送用光スターカプラにより複数の光伝送路がスター状に構成された子局側から親局側への上り情報伝送用の上り用光ネットワークと、
前記下り用光ネットワークを構成する前記光伝送路の一つと前記上り用光ネットワークを構成する前記光伝送路の一つが対で接続された複数の子局装置と、
前記下り用光ネットワークを構成する前記光伝送路の一つと前記上り用光ネットワークを構成する前記光伝送路の一つが対で接続された第１の親局装置と、
前記上り用光ネットワークを構成する前記光伝送路の一つに接続された第２の親局装置と、
前記第２の親局装置と前記下り情報伝送用光スターカプラとの間を接続する下り情報伝送用の下り信号用光伝送路と、
前記第１の親局装置および前記第２の親局装置に構成され、自親局装置で発信する下り情報と他親局装置で発信する下り情報との衝突を回避するための情報を前記他親局装置との間で送受する排他制御信号伝送装置と、
前記衝突を回避するための情報を前記各排他制御信号伝送装置間で送受するための当該各排他制御信号伝送装置間を接続した排他制御信号伝送路とを備えた光ネットワーク装置。
【請求項４】
光信号をパッシブに分岐または結合する下り情報伝送用光スターカプラにより複数の光伝送路がスター状に構成された親局側から子局側への下り情報伝送用の下り用光ネットワークと、
光信号をパッシブに分岐または結合する上り情報伝送用光スターカプラにより複数の光伝送路がスター状に構成された子局側から親局側への上り情報伝送用の上り用光ネットワークと、
前記下り用光ネットワークを構成する前記光伝送路の一つと前記上り用光ネットワークを構成する前記光伝送路の一つが対で接続された複数の子局装置と、
前記下り用光ネットワークを構成する前記光伝送路の一つと前記上り用光ネットワークを構成する前記光伝送路の一つが対で接続された第１の親局装置と、
前記上り用光ネットワークを構成する前記光伝送路の一つに接続された第２の親局装置と、
前記第２の親局装置と前記下り情報伝送用光スターカプラとの間を接続した下り情報伝送用の下り信号用光伝送路と、
前記第１の親局装置および前記第２の親局装置に構成され、自親局装置で発信する下り情報と他親局装置で発信する下り情報との衝突を回避するための情報を前記他親局装置との間で送受する各親局装置毎に設けられた排他制御信号伝送装置と、
前記衝突を回避するための情報を、前記下り情報伝送用光スターカプラ、上り情報伝送用光スターカプラおよび子局装置を介して前記各排他制御信号伝送装置間で送受するための、前記下り情報伝送用光スターカプラおよび前記上り情報伝送用光スターカプラと前記各排他制御信号伝送装置との間をそれぞれ接続した排他制御信号伝送路とを備えた光ネットワーク装置。
【請求項５】
光信号をパッシブに分岐または結合する下り情報伝送用光スターカプラにより複数の光伝送路がスター状に構成された親局側から子局側への下り情報伝送用の下り用光ネットワークと、
光信号をパッシブに分岐または結合する上り情報伝送用光スターカプラにより複数の光伝送路がスター状に構成された子局側から親局側への上り情報伝送用の上り用光ネットワークと、
前記下り用光ネットワークを構成する前記光伝送路の一つと前記上り用光ネットワークを構成する前記光伝送路の一つが対で接続された複数の子局装置と、
前記下り用光ネットワークを構成する前記光伝送路の一つと前記上り用光ネットワークを構成する前記光伝送路の一つが対で接続された第１の親局装置と、
前記上り用光ネットワークを構成する前記光伝送路の一つに接続された第２の親局装置と、
前記第２の親局装置と前記下り情報伝送用光スターカプラとの間を接続する下り信号用光伝送路と、
前記第１の親局装置および前記第２の親局装置における下り情報の発信要求をもとに下り情報発信権を割り当てる情報を出力する優先権判定子局と、
該優先権判定子局と前記下り情報伝送用光スターカプラとの間を接続し、前記下り情報の発信要求を前記優先権判定子局へ伝送するための光伝送路と、
前記優先権判定子局と上り情報伝送用光スターカプラとの間を接続し、前記上り情報伝送用光スターカプラと上り用光ネットワークを構成する光伝送路を介して前記下り情報発信権を割り当てる情報を前記第１の親局装置および前記第２の親局装置へ伝送するための光伝送路とを備えた光ネットワーク装置。
【請求項６】
優先権判定子局は、下り情報発信権を割り当てる情報を、各子局装置から送られてくる上り情報の光波長と異なる波長の光信号を用いて出力することを特徴とする請求項５記載の光ネットワーク装置。
【請求項７】
光信号をパッシブに分岐または結合する下り情報伝送用光スターカプラにより複数の光伝送路がスター状に構成された親局側から子局側への下り情報伝送用の下り用光ネットワークと、
光信号をパッシブに分岐または結合する上り情報伝送用光スターカプラにより複数の光伝送路がスター状に構成された子局側から親局側への上り情報伝送用の上り用光ネットワークと、
前記下り用光ネットワークを構成する前記光伝送路の一つと前記上り用光ネットワークを構成する前記光伝送路の一つが対で接続された複数の子局装置と、
前記下り用光ネットワークを構成する前記光伝送路の一つと前記上り用光ネットワークを構成する前記光伝送路の一つが対で接続された第１の親局装置と、
前記上り用光ネットワークを構成する前記光伝送路の一つに接続された第２の親局装置と、
前記第２の親局装置と前記下り情報伝送用光スターカプラとの間を接続する下り信号用光伝送路と、
前記第１の親局装置および前記第２の親局装置における下り情報の発信要求をもとに下り情報発信権を割り当てる情報を出力する優先権判定子局と、
該優先権判定子局と前記下り情報伝送用光スターカプラとの間を接続し、前記下り情報の発信要求を前記優先権判定子局へ伝送するための光伝送路と、
前記優先権判定子局と前記第１の親局装置および前記第２の親局装置との間を直接に接続し、前記下り情報発信権を割り当てる情報を前記第１の親局装置および前記第２の親局装置へ伝送するための発信権割当情報専用光伝送路とを備えていることを特徴とする請求項１記載の光ネットワーク装置。
【発明の詳細な説明】
【０００１】
【発明の属する技術分野】
この発明は、配電系統を利用した光ファイバ伝送路により構成されるスター型ネットワークにより電力設備運用上の情報やマルチメディアに対応した各種情報の送受信を可能にする光ネットワーク装置に関するものである。
【０００２】
【従来の技術】
図８は、三菱電機技報Ｖｏｌ．７０・Ｎｏ．４・１９９６．「お客さま情報ネットワーク」のネットワーク構成を示すシステム構成図であり、図８において２１は配電用変電所、２２は電力会社制御所、２３は電力会社営業所、２４は電力需要家である。２６は配電用変電所２１内に設置された光パッシブダブルスター（以下、ＰＤＳという）親局装置であり、２７は電力需要家２４内に設置されたＰＤＳ子局装置、２５は光スターカプラ、１００は電力需要家２４と配電用変電所２１との間をスター型ネットワークで接続する光ファイバである。
【０００３】
次に動作について説明する。
配電用変電所２１内のＰＤＳ親局装置２６の制御のもとで複数のＰＤＳ子局装置２７が通信を行なっている。一般的に配電用変電所２１は無人で運転されており、電力需要家２４との情報授受は、電力会社制御所２２および電力会社営業所２３で行う。ＰＤＳ子局装置２７（この場合は特高・高圧の電力需要家）からの上り情報は、光ファイバ１００を介して光スターカプラ２５によって結合された後、配電用変電所２１のＰＤＳ親局装置２６で終端されて１：Ｎ形態のスター型ネットワークで行われている。このため、前記上り情報は配電用変電所２１内の別の伝送装置によって電力会社制御所２２および電力会社営業所２３に再配信されている。
また、電力会社制御所２２および電力会社営業所２３からの下り情報は配電用変電所２１内の別の伝送装置まで別ネットワークで配信された後、配電用変電所２１と電力需要家２４との間を接続したスター型ネットワークでＰＤＳ親局装置２６を介して各電力需要家２４に伝送されている。
【０００４】
【発明が解決しようとする課題】
従来の光ネットワーク装置は以上のように構成されているので、ネットワークが階層構造化されて運用し易いことの反面、上り情報が配電用変電所２１内の別の伝送装置によって電力会社制御所２２および電力会社営業所２３に再配信される前記階層構造化による通信時間の無駄が生じ、またＰＤＳ伝送路は単一の上り下りフレーム構成を持っており多目的利用が困難であるなどの課題があった。
【０００５】
この発明は上記のような課題を解決するためになされたもので、光ネットワークにおいて光スターカプラの本来のＮ：Ｎ形態の対称性を利用することで複数の親局を収容するネットワークを実現し、さらに、緊急連絡、災害時等のネットワークの多目的利用も可能にする光ネットワーク装置を提供することを目的とする。
【０００６】
【課題を解決するための手段】
この発明に係る光ネットワーク装置は、光信号をパッシブに分岐または結合する下り情報伝送用光スターカプラにより複数の光伝送路がスター状に構成された親局側から子局側への下り情報伝送用の下り用光ネットワークと、光信号をパッシブに分岐または結合する上り情報伝送用光スターカプラにより複数の光伝送路がスター状に構成された子局側から親局側への上り情報伝送用の上り用光ネットワークと、前記下り用光ネットワークを構成する前記光伝送路の一つと前記上り用光ネットワークを構成する前記光伝送路の一つが対で接続された複数の子局装置と、前記下り用光ネットワークを構成する前記光伝送路の一つと前記上り用光ネットワークを構成する前記光伝送路の一つが対で接続された前記複数の子局装置に対して制御権を持つ第１の親局装置と、前記上り用光ネットワークを構成する前記光伝送路の一つに接続された前記複数の子局装置に対して制御権を持たない第２の親局装置とを備えるようにしたものである。
【０００７】
この発明に係る光ネットワーク装置は、第２の親局装置と下り情報伝送用光スターカプラとの間を接続する下り情報伝送用の下り信号用光伝送路と、第１の親局装置と前記下り情報伝送用光スターカプラとの間の光伝送路および前記各下り信号用光伝送路に挿入され、前記光伝送路、前記各下り信号用光伝送路による光信号の伝送のオン／オフが前記第２の親局装置により制御される制御スイッチとを備えるようにしたものである。
【０００８】
この発明に係る光ネットワーク装置は、第２の親局装置と下り情報伝送用光スターカプラとの間を接続する下り情報伝送用の下り信号用光伝送路と、第１の親局装置および前記第２の親局装置に構成され、自親局装置で発信する下り情報と他親局装置で発信する下り情報との衝突を回避するための情報を前記他親局装置との間で送受する排他制御信号伝送装置と、前記衝突を回避するための情報を前記各排他制御信号伝送装置間で送受するための当該各排他制御信号伝送装置間を接続した排他制御信号伝送路とを備えるようにしたものである。
【０００９】
この発明に係る光ネットワーク装置は、第２の親局装置と下り情報伝送用光スターカプラとの間を接続した下り情報伝送用の下り信号用光伝送路と、第１の親局装置および前記第２の親局装置に構成され、自親局装置で発信する下り情報と他親局装置で発信する下り情報との衝突を回避するための情報を前記他親局装置との間で送受する各親局装置毎に設けられた排他制御信号伝送装置と、前記衝突を回避するための情報を、前記下り情報伝送用光スターカプラ、上り情報伝送用光スターカプラおよび子局装置を介して前記各排他制御信号伝送装置間で送受するための、前記下り情報伝送用光スターカプラおよび前記上り情報伝送用光スターカプラと前記各排他制御信号伝送装置との間をそれぞれ接続した排他制御信号伝送路とを備えるようにしたものである。
【００１０】
この発明に係る光ネットワーク装置は、第２の親局装置と下り情報伝送用光スターカプラとの間を接続する下り信号用光伝送路と、第１の親局装置および前記第２の親局装置における下り情報の発信要求をもとに下り情報発信権を割り当てる情報を出力する優先権判定子局と、該優先権判定子局と前記下り情報伝送用光スターカプラとの間を接続し、前記下り情報の発信要求を前記優先権判定子局へ伝送するための光伝送路と、前記優先権判定子局と上り情報伝送用光スターカプラとの間を接続し、前記上り情報伝送用光スターカプラと上り用光ネットワークを構成する光伝送路を介して前記下り情報発信権を割り当てる情報を前記第１の親局装置および前記第２の親局装置へ伝送するための光伝送路とを備えるようにしたものである。
【００１１】
この発明に係る光ネットワーク装置は、下り情報発信権を割り当てる情報を、各子局装置から送られてくる上り情報の光波長と異なる波長の光信号を用いて出力する優先権判定子局を備えるようにしたものである。
【００１２】
この発明に係る光ネットワーク装置は、第２の親局装置と下り情報伝送用光スターカプラとの間を接続する下り信号用光伝送路と、第１の親局装置および前記第２の親局装置における下り情報の発信要求をもとに下り情報発信権を割り当てる情報を出力する優先権判定子局と、該優先権判定子局と前記下り情報伝送用光スターカプラとの間を接続し、前記下り情報の発信要求を前記優先権判定子局へ伝送するための光伝送路と、前記優先権判定子局と前記第１の親局装置および前記第２の親局装置との間を直接に接続し、前記下り情報発信権を割り当てる情報を前記第１の親局装置および前記第２の親局装置へ伝送するための発信権割当情報専用光伝送路とを備えるようにしたものである。
【００１３】
【発明の実施の形態】
以下、この発明の実施の一形態を説明する。
実施の形態１．
図１は、この実施の形態１の光ネットワーク装置の構成を示すシステム構成図である。図１において、１はＰＤＳ子局（子局装置）、２は配電用変電所内のＰＤＳ親局（第１の親局装置）、３は子局側上り信号用光ファイバ（光伝送路，上り用光ネットワーク）、４は子局側下り信号用光ファイバ（光伝送路，下り用光ネットワーク）、５ａは配電用変電所１１に備えられたＰＤＳ親局２に対する親局側上り信号用光ファイバ（光伝送路，上り用光ネットワーク）、５ｂは電力会社制御所１２のＰＤＳ親局９に対する親局側上り信号用光ファイバ（光伝送路，上り用光ネットワーク）、５ｃは電力会社営業所１３のＰＤＳ親局１０に対する親局側上り信号用光ファイバ（光伝送路，上り用光ネットワーク）、６ａは配電用変電所１１に備えられたＰＤＳ親局２に対する親局側下り信号用光ファイバ（光伝送路，下り用光ネットワーク）である。
なお、以下の各実施の形態の子局側上り信号用光ファイバ３、子局側下り信号用光ファイバ４、親局側上り信号用光ファイバ５ａ、５ｂ、５ｃ、親局側下り信号用光ファイバ６ａ、その他の各光ファイバ伝送路は配電系統を利用して敷設されているものとして説明する。
７は配電用変電所１１内の上り情報伝送用光スターカプラ（上り用光ネットワーク）、８は配電用変電所１１内の下り情報伝送用光スターカプラ（下り用光ネットワーク）、９は前記電力会社制御所１２に備えられたＰＤＳ親局（第２の親局装置）、１０は前記電力会社営業所１３に備えられたＰＤＳ親局（第２の親局装置）、１１は前記配電用変電所、１２は前記電力会社制御所、１３は前記電力会社営業所である。
各ＰＤＳ子局１と各ＰＤＳ親局２，９，１０は光ＰＤＳネットワークにより接続されている。
【００１４】
次に動作について説明する。
ＰＤＳ親局と、パッシブ（電源供給不要）にＮ分岐された光ファイバを介して接続されたＰＤＳ子局間の情報の授受に使用されている光スターカプラは、通常、ＰＤＳ親局側は上り下り共１本の分岐分しか使用していないが、この実施の形態１では上りについては３本の分岐分を使用しており、親局側上り信号用光ファイバ５ａ，５ｂ，５ｃにより上り情報伝送用光スターカプラ７から配電用変電所１１のＰＤＳ親局２の他に、電力会社制御所１２、電力会社営業所１３の各ＰＤＳ親局９，１０へも接続されている。
【００１５】
Ｎ個のＰＤＳ子局１より発信された上り情報は、配電用変電所１１内の上り情報伝送用光スターカプラ７を経由して配電用変電所１１内のＰＤＳ親局２へ伝送される。同時に、Ｎ：Ｎ光カプラの親局側の親局側上り信号用光ファイバ５ｂ，５ｃによる分岐回線を経由して、電力会社制御所１２、電力会社営業所１３などの上位のＰＤＳ親局９，１０へ全く同じ内容の信号が同時に伝送される。
配電用変電所１１のＰＤＳ親局２からの下り信号は親局側下り信号光ファイバ６ａを介し下り情報伝送用光スターカプラ８を経由して各ＰＤＳ子局１へ配信されＰＤＳネットワークを制御している。
電力会社制御所１２、電力会社営業所１３は下り信号を発信することはなく、上り信号のみをモニタしており、上り信号の中から自所で必要となる情報のみを抽出して業務を実施できる。
【００１６】
以上のように、この実施の形態１によれば、従来のように配電用変電所において上り信号を分解し、必要に応じて電力会社営業所、電力会社制御所に伝送するための伝送装置が不要となり、前記伝送装置を経由することによる時間的なロスもなくなるため、安価で迅速な情報の伝達が可能な光ネットワーク装置が得られる効果がある。
【００１７】
実施の形態２．
前記実施の形態１では、電力会社制御所１２、電力会社営業所１３は下り信号を発信することなく上り信号のみをモニタしていたが、この実施の形態２では電力会社制御所１２、電力会社営業所１３から下り信号を発信する。
図２は、この実施の形態２の光ネットワーク装置の構成を示すシステム構成図である。図２において図１と同一または相当の部分については同一の符号を付し説明を省略する。図において、１５ａ，１５ｂ，１５ｃは光ファイバにより送受信される情報を遮断するための制御スイッチ、６ｂは電力会社制御所１２のＰＤＳ親局９と下り情報伝送用光スターカプラ８とを接続した分岐回線である親局側下り信号用光ファイバ（下り信号用光伝送路）、６ｃは電力会社営業所１３のＰＤＳ親局１０と下り情報伝送用光スターカプラ８とを接続した分岐回線である親局側下り信号用光ファイバ（下り信号用光伝送路）である。
【００１８】
制御スイッチ１５ａは配電用変電所１１内で前記親局側下り信号用光ファイバ６ｃに挿入されており、配電用変電所１１のＰＤＳ親局２により開閉が制御され、親局側下り信号用光ファイバ６ｃにより送受信される情報を遮断することができる。また、制御スイッチ１５ｂは配電用変電所１１内で親局側下り信号用光ファイバ６ａに挿入されており、配電用変電所１１のＰＤＳ親局２により開閉が制御され、親局側下り信号用光ファイバ６ａにより送受信される情報を遮断することができる。また、制御スイッチ１５ｃは配電用変電所１１内で親局側下り信号用光ファイバ６ｂに挿入されており、配電用変電所１１のＰＤＳ親局２により開閉が制御され、親局側下り信号用光ファイバ６ｂにより送受信される情報を遮断することができる。
【００１９】
次に動作について説明する。
ＰＤＳ親局２が下り情報の発信を行なう場合、制御スイッチ１５ｂを閉状態、制御スイッチ１５ａ，１５ｃを開状態に制御することで、ＰＤＳ親局９，１０が発信する下り情報との衝突を回避することができる。
各制御スイッチ１５ａ，１５ｂ，１５ｃはＰＤＳ親局２の制御下にあり、ＰＤＳ親局２は各制御スイッチ１５ａ，１５ｂ，１５ｃの開閉を制御することで、ＰＤＳ親局２が発信する下り情報を他のＰＤＳ親局が発信する下り情報と衝突することなく下り情報を発信することができる。
【００２０】
以上のように、この実施の形態２によれば、制御スイッチ１５ａ，１５ｂ，１５ｃにより、各ＰＤＳ親局は下り情報を発信する際に他のＰＤＳ親局と接続される親局側下り信号用光ファイバを、完全に遮断することができるため、各ＰＤＳ親局がそれぞれ発信する下り情報フレームは同一の構成とする必要はなく、ＰＤＳ子局側にそれぞれのＰＤＳ親局からの下り情報フレームを終端できる回路を設けておけば、同一のＰＤＳ伝送路を用いて、多種多様なネットワークを実現でき、各ＰＤＳ親局は各ＰＤＳ子局との間で必要な情報授受を安価に実現できる光ネットワーク装置が得られる効果がある。
【００２１】
実施の形態３．
前記実施の形態２では、下り情報の衝突回避策として制御スイッチ１５ａ，１５ｂ，１５ｃを使用する場合について説明したが、この実施の形態３では、ＰＤＳ親局間に排他制御信号伝送路を敷設することで各ＰＤＳ親局が発信する下り情報の衝突を回避する。
図３は、この実施の形態３の光ネットワーク装置の構成を示すシステム構成図である。図３において図２と同一または相当の部分については同一の符号を付し説明を省略する。図３において、３１は配電用変電所１１のＰＤＳ親局２に設けられている排他制御信号伝送装置、３２は電力会社制御所１２のＰＤＳ親局９に設けられている排他制御信号伝送装置、３３は電力会社営業所１３のＰＤＳ親局１０に設けられている排他制御信号伝送装置である。これら排他制御信号伝送装置３１，３２，３３は、排他制御信号伝送路３４によりループ状に接続されている。
【００２２】
次に動作について説明する。
ＰＤＳ親局２が下り情報の発信を行なった場合、ＰＤＳ親局２は、各ＰＤＳ親局９，１０の排他制御信号伝送装置３２，３３へ排他制御信号伝送路３４により発信を行なっていることを示す情報を出力する。他のＰＤＳ親局９，１０は排他制御信号伝送路３４と排他制御信号伝送装置３２，３３を介して伝えられる前記情報を確認して自局の情報発信を親局側下り信号用光ファイバ６ｂ，６ｃへ行う。このように、複数のＰＤＳ親局間で排他制御信号伝送路３４を介して前記情報を送受し、親局側下り信号用光ファイバ６ａ，６ｂ，６ｃへ下り情報を発信する権利がどのＰＤＳ親局にあるかを各ＰＤＳ親局は知り、各ＰＤＳ親局から発信される下り情報が衝突することなく親局側下り信号用光ファイバ６ａ，６ｂ，６ｃへ出力する。
【００２３】
以上のように、この実施の形態３によれば、各ＰＤＳ親局に設けられた排他制御信号伝送装置および各排他制御信号伝送装置間にループ状に敷設された排他制御信号伝送路３４を介して、どのＰＤＳ親局が発信を行なっているかを示す前記情報を各ＰＤＳ親局間で送受することができるため、各ＰＤＳ親局は発信する下り情報を他のＰＤＳ親局が発信する下り情報と衝突することなく親局側下り信号用光ファイバ６ａ，６ｂ，６ｃへ出力することができ、下り情報輻輳時の対策が安価に実現できる光ネットワーク装置が得られる効果がある。
【００２４】
実施の形態４．
前記実施の形態３では、各排他制御信号伝送装置間にループ状に敷設された排他制御信号伝送路３４により、各ＰＤＳ親局が発信する下り情報と他のＰＤＳ親局が発信する下り情報との衝突を防止する場合について説明したが、この実施の形態４では、各ＰＤＳ親局の排他制御信号伝送装置を直接、上り情報伝送用光スターカプラ７，下り情報伝送用光スターカプラ８と接続し、上り情報伝送用光スターカプラ７，下り情報伝送用光スターカプラ７，８近傍のＰＤＳ子局を介してどのＰＤＳ親局装置が下り情報の発信を行なっているかを示す情報を前記各排他制御信号伝送装置間で送受することで各ＰＤＳ親局が発信する下り情報と他のＰＤＳ親局が発信する下り情報との衝突を防止する。
【００２５】
図４は、この実施の形態４の光ネットワーク装置の構成を示すシステム構成図である。図４において図３と同一または相当の部分については同一の符号を付し説明を省略する。図４において、３５，３６，３７は排他制御信号伝送装置であり、上り情報伝送用光スターカプラ７と下り情報伝送用光スターカプラ８とに直接結ぶことで、例えばＰＤＳ親局２が下り情報の発信を行う場合、ＰＤＳ親局２に設置されている排他制御信号伝送装置３５を経たＰＤＳ親局２の発信情報を上り情報伝送用光スターカプラ７および下り情報伝送用光スターカプラ８を介して他のＰＤＳ親局９，１０へ伝達する。３８ａは排他制御信号伝送装置３５と上り情報伝送用光スターカプラ７とを接続する光ファイバによる排他制御信号伝送路、３８ｂは下り情報伝送用光スターカプラ８と排他制御信号伝送装置３５とを接続する光ファイバによる排他制御信号伝送路、３９ａは上り情報伝送用光スターカプラ７と排他制御信号伝送装置３６とを接続する光ファイバによる排他制御信号伝送路、４０ａは上り情報伝送用光スターカプラ７と排他制御信号伝送装置３７とを接続する光ファイバによる排他制御信号伝送路、３９ｂは排他制御信号伝送装置３６と下り情報伝送用光スターカプラ８とを接続する光ファイバによる排他制御信号伝送路、４０ｂは排他制御信号伝送装置３７と下り情報伝送用光スターカプラ８とを接続する光ファイバによる排他制御信号伝送路である。
【００２６】
次に動作について説明する。
例えばＰＤＳ親局２が下り情報の発信を行う場合、ＰＤＳ親局２に設置されている排他制御信号伝送装置３５から、ＰＤＳ親局２が下り情報の発信を行なっていることを示す発信情報が、排他制御信号伝送路３８ｂ→下り情報伝送用光スターカプラ８→子局側下り信号用光ファイバ４→ＰＤＳ子局１→子局側上り信号用光ファイバ３→上り情報伝送用光スターカプラ７→排他制御信号伝送路３９ａを経てＰＤＳ親局９へ伝えられ、また前記上り情報伝送用光スターカプラ７から排他制御信号伝送路４０ａを経てＰＤＳ親局１０へ伝えられる。
【００２７】
また、ＰＤＳ親局９が下り情報の発信を行う場合、ＰＤＳ親局９に設置されている排他制御信号伝送装置３６から、ＰＤＳ親局９が下り情報の発信を行なっていることを示す発信情報が、排他制御信号伝送路３９ｂ→下り情報伝送用光スターカプラ８→子局側下り信号用光ファイバ４→ＰＤＳ子局１→子局側上り信号用光ファイバ３→上り情報伝送用光スターカプラ７→排他制御信号伝送路３８ａを経てＰＤＳ親局２へ伝えられ、また前記上り情報伝送用光スターカプラ７から排他制御信号伝送路４０ａを経てＰＤＳ親局１０へ伝えられる。
【００２８】
また、ＰＤＳ親局１０が下り情報の発信を行う場合、ＰＤＳ親局１０に設置されている排他制御信号伝送装置３７から、ＰＤＳ親局１０が下り情報の発信を行なっていることを示す発信情報が、排他制御信号伝送路４０ｂ→下り情報伝送用光スターカプラ８→子局側下り信号用光ファイバ４→ＰＤＳ子局１→子局側上り信号用光ファイバ３→上り情報伝送用光スターカプラ７→排他制御信号伝送路３８ａを経てＰＤＳ親局２へ伝えられ、また前記上り情報伝送用光スターカプラ７から排他制御信号伝送路３９ａを経てＰＤＳ親局９へ伝えられる。
【００２９】
以上のように、この実施の形態４によれば、各ＰＤＳ親局が下り情報の発信を行う場合、この下り情報の発信を行なっていることを示す発信情報が、各ＰＤＳ親局に設置されている排他制御信号伝送装置から下り情報伝送用光スターカプラ８とＰＤＳ子局１と上り情報伝送用光スターカプラ７とＰＤＳ子局１を介して他のＰＤＳ親局へ伝達されるので、各ＰＤＳ親局は他のＰＤＳ親局の下り信号の発信完了を待って下り情報の発信を行うことができ、下り情報輻輳時の対策が安価に実現できる光ネットワーク装置が得られる効果がある。
【００３０】
実施の形態５．
前記実施の形態３および前記実施の形態４では、各排他制御信号伝送装置間にループ状に敷設された排他制御信号伝送路より、各ＰＤＳ親局が発信する下り情報と他のＰＤＳ親局が発信する下り情報との衝突を防止する場合について説明したが、この実施の形態５では、前記各排他制御信号伝送装置を設けることなく上り情報伝送用光スターカプラ７と下り情報伝送用光スターカプラ８とに光ファイバである伝送路でそれぞれ接続した下り優先権判定子局を設置することで、各ＰＤＳ親局の下り情報発信の優先権の判定を前記下り優先権判定子局に一任することで衝突を回避する。
【００３１】
図５は、この実施の形態５の光ネットワーク装置の構成を示すシステム構成図である。図５において図２と同一または相当の部分については同一の符号を付し説明を省略する。図５において、４１は下り優先権判定子局（優先権判定子局）、４２は下り優先権判定子局４１と下り情報伝送用光スターカプラ８との間を接続した光ファイバによる伝送路（光伝送路）、４３は下り優先権判定子局４１と上り情報伝送用光スターカプラ７との間を接続した光ファイバによる伝送路（光伝送路）である。
なお、この下り優先権判定子局４１が有している機能は、特定のＰＤＳ子局１に備えるように構成してもよい。
【００３２】
次に動作について説明する。
下り優先権判定子局４１は、例えば時分割に各ＰＤＳ親局の下り情報の発信要求に基づいて下り信号発信権を割り当て、発信を行うＰＤＳ親局の下り情報と他のＰＤＳ親局が発信する下り情報との衝突を防止する。
すなわち、各ＰＤＳ親局が下り情報を発信するときには、先ず下り情報の発信要求を下り優先権判定子局４１に対して行う。この場合、ＰＤＳ親局２は、親局側下り信号用光ファイバ６ａ→下り情報伝送用光スターカプラ８→伝送路４２を介して下り情報の発信要求を下り優先権判定子局４１に対して行う。また、ＰＤＳ親局９は、親局側下り信号用光ファイバ６ｂ→下り情報伝送用光スターカプラ８→伝送路４２を介して下り情報の発信要求を下り優先権判定子局４１に対して行う。また、ＰＤＳ親局１０は、親局側下り信号用光ファイバ６ｃ→下り情報伝送用光スターカプラ８→伝送路４２を介して下り情報の発信要求を下り優先権判定子局４１に対して行う。
【００３３】
下り優先権判定子局４１は各ＰＤＳ子局からの上り情報と発信権割り当て情報とが衝突しないように時分割に、前記各下り情報の発信要求に対して下り信号発信権を割り当てる発信権割り当て情報を、伝送路４３と上り情報伝送用光スターカプラ７、さらに親局側上り信号用光ファイバ５ａを介してＰＤＳ親局２へ送り、また親局側上り信号用光ファイバ５ｂを介してＰＤＳ親局９へ送り、また親局側上り信号用光ファイバ５ｃを介してＰＤＳ親局１０へ送る。各ＰＤＳ親局は、下り優先権判定子局４１から送られてきた発信権割り当て情報をもとに前記時分割で割り当てられたスロットを使用して下り情報を発信する。
なお、各ＰＤＳ親局から下り優先権判定子局４１へ送られる下り情報の発信要求も、時分割で下り優先権判定子局４１へ送られる構成であってもよい。
また、各ＰＤＳ親局は下り情報の発信要求を行わず、下り優先権判定子局４１が一方的にあらかじめ各ＰＤＳ親局の下り信号発信権を割り当てる構成であってもよい。
【００３４】
以上のように、この実施の形態５によれば、説明したように各ＰＤＳ親局の発信要求に対し下り信号発信権を割り当てることで、複数のＰＤＳ親局による下り情報の同時発信を防止することができ、下り優先権判定子局４１の設置は必要となるが、下り情報の発信についての優先権判定の権限を下り優先権判定子局４１に一任できるため、各ＰＤＳ親局には判断回路が不要となり、各ＰＤＳ親局の構成が簡略化されて安価に構成できる光ネットワーク装置が得られる効果がある。
【００３５】
実施の形態６．
前記実施の形態５における下り優先権判定子局４１からの上り情報、すなわち各ＰＤＳ親局へ送られる下り情報の発信についての発信権割り当て情報を、上り情報の通信用光信号とは別波長の光を用い、光波長多重により複数のＰＤＳ親局に伝送することにより、下り信号の発信についての発信権割り当てについての自由度を向上させることも可能である。
【００３６】
図６は、この実施の形態６の光ネットワーク装置の構成を示すシステム構成図である。図６において図５と同一または相当の部分については同一の符号を付し説明を省略する。図６において、５１は発信権割り当て情報を上り情報の通信用光信号とは別波長の光を用い、光波長多重により複数のＰＤＳ親局に伝送する下り優先権判定子局（優先権判定子局）、５２は下り優先権判定子局５１と上り情報伝送用光スターカプラ７との間を接続する光ファイバによる伝送路、５３は下り優先権判定子局５１と下り情報伝送用光スターカプラ８との間を接続する光ファイバによる伝送路である。
なお、前記下り優先権判定子局５１の有している前記機能をＰＤＳ子局１の１つが備えている構成であってもよい。
【００３７】
次に動作について説明する。
本来の情報通信用光信号の光波長をλ１とし、例えば１．３μｍの波長帯の光を上り情報および下り情報に使用する。そして、下り優先権判定子局５１では上り信号にλ２として、例えば１．５μｍの波長帯の光を使用することで、ＰＤＳ子局からの上り信号の状況とは無関係に下り優先権判定子局５１が発信権割り当て情報を各ＰＤＳ親局へ送り、下り信号発信権を複数のＰＤＳ親局に割付ける。なお、各ＰＤＳ親局から下り優先権判定子局５１へ送られる下り情報の発信要求も、光波長多重により下り優先権判定子局５１へ送られる構成であってもよい。
また、各ＰＤＳ親局は下り情報の発信要求を行わず、下り優先権判定子局５１が一方的にあらかじめ各ＰＤＳ親局の下り信号発信権を割り当てる構成であってもよい。
【００３８】
以上のように、この実施の形態６によれば、各ＰＤＳ親局の発信要求に対し下り信号発信権を割り当てることで、複数のＰＤＳ親局による下り情報の同時発信を防止することができ、下り優先権判定子局５１の設置は必要となるが、下り情報の発信についての優先権判定の権限を下り優先権判定子局５１に一任できるため、各ＰＤＳ親局には判断回路が不要となり、各ＰＤＳ親局の構成が簡略化されて安価に構成できる光ネットワーク装置が得られる効果がある。
【００３９】
実施の形態７．
前記実施の形態６では光波長多重による別波長での下り信号発信権の割り当てについて述べたが、この実施の形態７では、下り優先権判定子局からの上り信号、すなわち各ＰＤＳ親局への発信権割り当て情報を、通常の情報通信用ネットワーク用上り信号用光ファイバとは別に敷設した光ファイバにより送る。
【００４０】
図７は、この実施の形態７の光ネットワーク装置の構成を示すシステム構成図である。図７において図５と同一または相当の部分については同一の符号を付し説明を省略する。図７において、６１は発信権割り当て情報を通常の情報通信用ネットワーク用上り信号用光ファイバとは別に敷設した光ファイバにより送る下り優先権判定子局（優先権判定子局）、６２は下り優先権判定子局６１とＰＤＳ親局２との間を接続する光ファイバによる発信権割当情報専用光伝送路、６３は下り優先権判定子局６１とＰＤＳ親局９の間を接続する光ファイバによる発信権割当情報専用光伝送路、６４は下り優先権判定子局６１とＰＤＳ親局１０の間を接続する光ファイバによる発信権割当情報専用光伝送路である。
【００４１】
次に動作について説明する。
各ＰＤＳ親局が下り情報を発信するときには、先ず下り情報の発信要求を下り優先権判定子局６１に対して行う。この場合、ＰＤＳ親局２は、親局側下り信号用光ファイバ６ａ→下り情報伝送用光スターカプラ８→伝送路４２を介して下り情報の発信要求を下り優先権判定子局６１に対して行う。また、ＰＤＳ親局９は、親局側下り信号用光ファイバ６ｂ→下り情報伝送用光スターカプラ８→伝送路４２を介して下り情報の発信要求を下り優先権判定子局６１に対して行う。また、ＰＤＳ親局１０は、親局側下り信号用光ファイバ６ｃ→下り情報伝送用光スターカプラ８→伝送路４２を介して下り情報の発信要求を下り優先権判定子局６１に対して行う。
【００４２】
下り優先権判定子局６１は各ＰＤＳ子局からの上り情報と発信権割り当て情報とが衝突しないように、前記各下り情報の発信要求に対して下り信号発信権を割り当てる発信権割り当て情報を、親局側上り信号用光ファイバ５ａ，５ｂ，５ｃと独立した各伝送路６２，６３，６４を介してＰＤＳ親局へ送る。各ＰＤＳ親局は、下り優先権判定子局６１から送られてきた発信権割り当て情報をもとに割り当てられたスロットを使用して下り情報を発信する。
なお、各ＰＤＳ親局から下り優先権判定子局６１へ送られる下り情報の発信要求は、互に衝突しないように時分割で下り優先権判定子局６１へ送られる構成であってもよい。
また、各ＰＤＳ親局は下り情報の発信要求を行わず、下り優先権判定子局６１が一方的にあらかじめ各ＰＤＳ親局の下り信号発信権を割り当てる構成であってもよい。
【００４３】
以上のように、この実施の形態７によれば、説明したように各ＰＤＳ親局の発信要求に対し親局側上り信号用光ファイバ５ａ，５ｂ，５ｃと独立した各発信権割当情報専用光伝送路６２，６３，６４を介して下り信号発信権を割り当てることで、複数のＰＤＳ親局による下り情報の同時発信を防止することができ、下り優先権判定子局６１の設置は必要となるが、下り情報の発信についての優先権判定の権限を下り優先権判定子局６１に一任できるため、各ＰＤＳ親局には判断回路が不要となり、各ＰＤＳ親局の構成が簡略化されて安価に構成できる光ネットワーク装置が得られる効果がある。
【００４４】
【発明の効果】
以上のように、この発明によれば、光信号をパッシブに分岐または結合する下り情報伝送用光スターカプラにより複数の光伝送路がスター状に構成された、親局側から子局側への下り情報伝送用の下り用光ネットワークを構成するとともに、光信号をパッシブに分岐または結合する上り情報伝送用光スターカプラにより子局側から親局側への上り情報伝送用の上り用光ネットワークを構成し、前記下り用光ネットワークを構成する前記光伝送路の一つと前記上り用光ネットワークを構成する前記光伝送路の一つを対で複数の前記各子局装置へ接続し、前記下り用光ネットワークを構成する前記光伝送路の一つと前記上り用光ネットワークを構成する前記光伝送路の一つを対で前記複数の子局装置に対して制御権を持つ第１の親局装置へ接続し、前記上り用光ネットワークを構成する前記光伝送路の一つに前記複数の子局装置に対して制御権を持たない第２の親局装置を接続した構成を備えたので、光ネットワークにおいて光スターカプラの本来のＮ：Ｎ形態の対称性を利用することで、上り情報を前記第１の親局装置における別の伝送装置によって前記第２の親局装置へ再配信するための階層構造化が不要になり、通信時間に無駄が生じない複数の親局を収容できるネットワークが実現でき、さらに、緊急連絡、災害時等のネットワークの多目的利用も可能になる効果がある。
【００４５】
この発明によれば、第１の親局装置と下り情報伝送用光スターカプラとの間の光伝送路および第２の親局装置と前記下り情報伝送用光スターカプラとの間の各下り信号用光伝送路に挿入され、前記光伝送路、前記各下り信号用光伝送路による光信号の伝送のオン／オフが前記第２の親局装置により制御される制御スイッチを備えるように構成したので、前記各制御スイッチにより、各親局装置は下り情報を発信する際に他の親局装置と接続される光伝送路を完全に遮断することができるため、各親局装置がそれぞれ発信する下り情報フレームは同一の構成とする必要はなく、子局装置側にそれぞれの親局装置からの下り情報フレームを終端できる回路を設けておけば、同一の光伝送路を用いて、多種多様なネットワークを実現でき、各親局装置は各子局装置との間で必要な情報授受を安価に実現できる効果がある。
【００４６】
この発明によれば、第１の親局装置および第２の親局装置に構成され、自親局装置で発信する下り情報と他親局装置で発信する下り情報との衝突を回避するための情報を前記他親局装置との間で送受する排他制御信号伝送装置と、前記衝突を回避するための情報を前記各排他制御信号伝送装置間で送受するための当該各排他制御信号伝送装置間を接続した排他制御信号伝送路とを備えるように構成したので、前記排他制御信号伝送路と前記各排他制御信号伝送装置とを介して送受される前記衝突を回避するための情報により前記各親局装置は自親局装置で発信する下り情報と他親局装置で発信する下り情報との衝突を回避して前記各子局装置との間の各種情報の授受を安価に実現できる効果がある。
【００４７】
この発明によれば、自親局装置で発信する下り情報と他親局装置で発信する下り情報との衝突を回避するための情報を前記他親局装置との間で送受する各親局装置毎に設けられた排他制御信号伝送装置と、前記衝突を回避するための情報を、下り情報伝送用光スターカプラ、上り情報伝送用光スターカプラおよび子局装置を介して前記各排他制御信号伝送装置間で送受するための、前記下り情報伝送用光スターカプラおよび前記上り情報伝送用光スターカプラと前記各排他制御信号伝送装置との間をそれぞれ接続した排他制御信号伝送路とを備えるように構成したので、前記排他制御信号伝送路と前記子局装置と前記各排他制御信号伝送装置とを介して送受される前記衝突を回避するための情報により前記各親局装置は自親局装置で発信する下り情報と他親局装置で発信する下り情報との衝突を回避して前記各子局装置との間の各種情報の授受を安価に実現できる効果がある。
【００４８】
この発明によれば、第２の親局装置と下り情報伝送用光スターカプラとの間を下り信号用光伝送路で接続し、第１の親局装置および前記第２の親局装置における下り情報の発信要求をもとに下り情報発信権を割り当てる情報を出力する優先権判定子局を設け、該優先権判定子局と前記下り情報伝送用光スターカプラとの間を、前記下り情報の発信要求を前記優先権判定子局へ伝送するための光伝送路で接続し、前記上り情報伝送用光スターカプラと上り用光ネットワークを構成する光伝送路を介して前記下り情報発信権を割り当てる情報を前記第１の親局装置および前記第２の親局装置へ伝送するため前記優先権判定子局と上り情報伝送用光スターカプラとの間を光伝送路で接続した構成を備えたので、前記光伝送路と前記上り情報伝送用光スターカプラとを介して送受される前記下り情報発信権を割り当てる情報により前記各親局装置は自親局装置で発信する下り情報と他親局装置で発信する下り情報との衝突を回避して前記各子局装置との間の各種情報の授受を安価に実現できる効果がある。
【００４９】
この発明によれば、下り情報発信権を割り当てる情報を、各子局装置から送られてくる上り情報の光波長と異なる波長の光信号を用いて出力する優先権判定子局を備えるように構成したので、各親局装置の構成が簡略化され、前記各親局装置は自親局装置で発信する下り情報と他親局装置で発信する下り情報との衝突を回避して前記各子局装置との間の各種情報の授受を安価に実現できる効果がある。
【００５０】
この発明によれば、優先権判定子局と下り情報伝送用光スターカプラとの間を接続し、下り情報の発信要求を前記優先権判定子局へ伝送するための光伝送路と、前記優先権判定子局と第１の親局装置および第２の親局装置との間を直接に接続し、下り情報発信権を割り当てる情報を前記第１の親局装置および前記第２の親局装置へ伝送するための発信権割当情報専用光伝送路とを備えるように構成したので、各親局装置の構成が簡略化され、前記各親局装置は自親局装置で発信する下り情報と他親局装置で発信する下り情報との衝突を回避して前記各子局装置との間の各種情報の授受を安価に実現できる効果がある。
【図面の簡単な説明】
【図１】この発明の実施の形態１の光ネットワーク装置の構成を示すシステム構成図である。
【図２】この発明の実施の形態２の光ネットワーク装置の構成を示すシステム構成図である。
【図３】この発明の実施の形態３の光ネットワーク装置の構成を示すシステム構成図である。
【図４】この発明の実施の形態４の光ネットワーク装置の構成を示すシステム構成図である。
【図５】この発明の実施の形態５の光ネットワーク装置の構成を示すシステム構成図である。
【図６】この発明の実施の形態６の光ネットワーク装置の構成を示すシステム構成図である。
【図７】この発明の実施の形態７の光ネットワーク装置の構成を示すシステム構成図である。
【図８】従来の光ネットワーク装置の構成を示すシステム構成図である。
【符号の説明】
１  ＰＤＳ子局（子局装置）、２  ＰＤＳ親局（第１の親局装置）、３  子局側上り信号用光ファイバ（光伝送路、上り用光ネットワーク）、４  子局側下り信号用光ファイバ（光伝送路、下り用光ネットワーク）、５ａ，５ｂ，５ｃ  親局側上り信号用光ファイバ（光伝送路、上り用光ネットワーク）、６ａ  親局側下り信号用光ファイバ（光伝送路、下り用光ネットワーク）、６ｂ，６ｃ  親局側下り信号用光ファイバ（下り信号用光伝送路）、７  上り情報伝送用光スターカプラ（上り用光ネットワーク）、８  下り情報伝送用光スターカプラ（下り用光ネットワーク）、９，１０  ＰＤＳ親局（第２の親局装置）、１５ａ，１５ｂ，１５ｃ  制御スイッチ、３１，３２，３３，３５，３６，３７  排他制御信号伝送装置、３４，３８ａ，３８ｂ，３９ａ，３９ｂ，４０ａ，４０ｂ  排他制御信号伝送路、４１，５１，６１  下り優先権判定子局（優先権判定子局）、４２，４３  伝送路（光伝送路）、６２，６３，６４  発信権割当情報専用光伝送路。
【図１】
0003604551.tif 000002
【図２】
0003604551.tif 000003
【図３】
0003604551.tif 000004
【図４】
0003604551.tif 000005
【図５】
0003604551.tif 000006
【図６】
0003604551.tif 000007
【図７】
0003604551.tif 000008
【図８】
0003604551.tif 000009